(57)【要約】【課題】束セグ放送が運用された場合において、受信するセグメントの候補設定を、極力速く行うことが可能となる受信装置を提供する。【解決手段】複数のセグメントの各々に別個の番組情報を割り当てて放送する放送装置から、該番組情報を受信する受信装置であって、受信するセグメントを、予め設定された選局候補セグメントの中の何れかに切替える、選局部と、各セグメントについて前記番組情報の受信の可否を判別する判別処理を行い、該判別処理の結果に基づいて、少なくとも一つのセグメントを該選局候補セグメントに設定する、選局候補設定部と、を備え、前記選局候補設定部は、中央に近いセグメントから順に前記判別処理を行い、前記番組情報の受信が不可と判別された時点で、その物理チャンネルにおける残りのセグメントを該判別処理の対象外にする受信装置とする。【選択図】図６
2010056855.tif 000002
【特許請求の範囲】
【請求項１】
複数のセグメントの各々に別個の番組情報を割り当てて放送する放送装置から、該番組情報を受信する受信装置であって、
受信するセグメントを、予め設定された選局候補セグメントの中の何れかに切替える、選局部と、
各セグメントについて前記番組情報の受信の可否を判別する判別処理を行い、該判別処理の結果に基づいて、少なくとも一つのセグメントを該選局候補セグメントに設定する、選局候補設定部と、
を備え、
前記選局候補設定部は、
中央に近いセグメントから順に前記判別処理を行い、前記番組情報の受信が不可と判別された時点で、その物理チャンネルにおける残りのセグメントを該判別処理の対象外とすることを特徴とする受信装置。
【請求項２】
複数の物理チャンネルにわたり、複数のセグメントの各々に別個の番組情報を割り当てて放送する放送装置から、該番組情報を受信する請求項１に記載の受信装置であって、
前記選局候補設定部は、
該複数の物理チャンネルのそれぞれについて、中央に近いセグメントから順に前記判別処理を行い、前記番組情報の受信が不可と判別された時点で、その物理チャンネルにおける残りのセグメントを該判別処理の対象外とすることを特徴とする受信装置。
【請求項３】
前記選局候補設定部は、
前記残りのセグメントについては、前記選局候補セグメントとして設定しないことを特徴とする請求項２に記載の受信装置。
【請求項４】
請求項２に記載の受信装置と、
複数の物理チャンネルにわたり、複数のセグメントの各々に別個の番組情報を割り当てて放送する放送装置と、を有し、
該放送装置は、各物理チャンネルについて、中央に近いセグメントから順に該番組情報を優先的に割り当てることを特徴とする放送システム。
【発明の詳細な説明】
【技術分野】
【０００１】
本発明は、放送装置から放送信号を受信する受信装置、およびこれを用いた放送システムに関する。
【背景技術】
【０００２】
従来、地上デジタル放送によるサービスの一つとして、各物理チャンネルの１セグメントを用いた番組情報の放送（ワンセグ放送）が運用されている。このワンセグ放送は、現状、各物理チャンネルが有する１３セグメント（０番〜１２番）のうちの、中央のセグメント（０番）が用いられており、主にモバイル端末向けとなっている。
【０００３】
また非特許文献１などによると、地上デジタル放送の各物理チャンネルからワンセグ放送の部分だけを取り出すとともに、他のコンテンツ等も含めてこれらを束ね、１の物理チャンネル分の電波を用いて再送信する方法が検討されている。かかる方法によれば、地上デジタル放送の電波をそのまま再送信するものに比べて、送信電力を抑えることができ、また再送信装置の価格も抑えることが可能になるとされている。
【非特許文献１】「ワンセグ連結ギャップフィラー装置の開発」、技術情報 ＮＨＫ Information、［平成２０年８月８日検索］、インターネット（ＵＲＬ：http://www3.nhk.or.jp/pr/marukaji/m-giju177.html）
【発明の開示】
【発明が解決しようとする課題】
【０００４】
上述した事情に鑑みると、将来的には、各物理チャンネルの複数セグメントの各々に、別個の番組情報が割り当てられて（束ねられて）放送される運用（このような放送を、以下「束セグ放送」と称することがある）が、開始されることも考えられる。またこの場合、束セグ放送サービスの管理を極力容易にすること等の理由から、各物理チャンネルについて、番組情報を割当てるセグメントに規則性を持たせることが考えられる。この点、各セグメントは、中央に近い側から順に０番から１２番までの番号が割り振られ、この順番で（つまり０番から順に優先的に）番組情報が割当てられることが考えられる。
【０００５】
この場合、例えばある物理チャンネルに５個の番組情報が割当てられるとすると、これらの番組情報は０番から４番までの各セグメントにそれぞれ割当てられることになり、５番以降の各セグメントには、割当てられないことになる。換言すれば、例えば４番のセグメントに番組情報が割当てられないにも関わらず、０番〜３番および５番のセグメントに番組情報が割当てられるような、いわゆる「歯抜け」の状態は認められないことになる。
【０００６】
ところで、テレビ放送受信機といった受信装置においては、ユーザが所望の番組を視聴することができるように、ユーザの指示に応じて受信周波数を切替える選局処理が行われる。また選局処理に先立ち、予めすべてのチャンネルをスキャンして、視聴者の居住地域において放送受信が可能なチャンネルを調べる動作（チャンネルスキャン）も行われる。これにより、基本的には、放送受信が可能であったチャンネルだけが、受信する（選局する）チャンネルの候補として設定される。
【０００７】
しかし束セグ放送の運用が始まった場合、このような従来と同等のチャンネルスキャンが実行されるとすると、全ての物理チャンネル（ＵＨＦ１３〜６２ｃｈ）における全てのセグメント（１物理チャンネルあたり１３個）をスキャンして、放送受信の可否を調べる必要がある。そのため、１物理チャンネルあたり１個のセグメントについてスキャンをすれば良かった場合に比べて、スキャンの対象とすべきセグメント数が大幅に（理論的には１３倍に）増加する。その結果、受信するセグメントの候補を設定するために要する時間が、著しく増大するという不具合が生じる。
【０００８】
本発明は、上述した問題点に鑑みて、束セグ放送が運用された場合において、受信するセグメントの候補設定を、極力速く行うことが可能となる受信装置および放送システムの提供を目的とする。
【課題を解決するための手段】
【０００９】
上記目的を達成するため、本発明に係る受信装置は、複数のセグメントの各々に別個の番組情報を割り当てて放送する放送装置から、該番組情報を受信する受信装置であって、受信するセグメントを、予め設定された選局候補セグメントの中の何れかに切替える、選局部と、各セグメントについて前記番組情報の受信の可否を判別する判別処理を行い、該判別処理の結果に基づいて、少なくとも一つのセグメントを該選局候補セグメントに設定する、選局候補設定部と、を備え、前記選局候補設定部は、中央に近いセグメントから順に前記判別処理を行い、前記番組情報の受信が不可と判別された時点で、その物理チャンネルにおける残りのセグメントを該判別処理の対象外とする構成とする。
【００１０】
本構成によれば、中央に近いセグメントから順に判別処理を行い、前記番組情報の受信が不可と判別された時点で、その物理チャンネルにおける残りのセグメントを該判別処理の対象外とする。そのため、放送装置が、中央に近いセグメントから順に番組情報を優先的に割り当てるものである場合に、当然に番組情報の受信が不可であるセグメントについてまでも判別処理を行うという無駄を省くことが可能となる。
【００１１】
これにより、例えば全てのセグメントをサーチして選局候補セグメントの設定を行うものに比べて、選局候補セグメントの設定に関わる処理負担を軽減させることができる。その結果、束セグ放送が運用された場合において、受信するセグメントの候補設定を、極力速く行うことが可能となる。
【００１２】
なおここでの「番組」とは、放送の編成の単位を表すものであって、その内容の如何は問わない。例えば、テレビ番組やラジオ番組などに限らず、他の何らかの情報を放送するためのものも含まれる。
【００１３】
また複数の物理チャンネルにわたり、複数のセグメントの各々に別個の番組情報を割り当てて放送する放送装置から、該番組情報を受信する上記構成の受信装置であって、前記選局候補設定部は、該複数の物理チャンネルのそれぞれについて、中央に近いセグメントから順に前記判別処理を行い、前記番組情報の受信が不可と判別された時点で、その物理チャンネルにおける残りのセグメントを該判別処理の対象外とする構成としてもよい。
【００１４】
本構成によれば、複数の物理チャンネルのそれぞれについて、中央に近いセグメントから順に前記判別処理を行い、前記番組情報の受信が不可と判別された時点で、その物理チャンネルにおける残りのセグメントを該判別処理の対象外とする。そのため、放送装置が、各物理チャンネルについて、中央に近いセグメントから順に番組情報を優先的に割り当てるものである場合に、当然に番組情報の受信が不可であるセグメントについてまでも判別処理を行うという無駄を省くことが可能となる。
【００１５】
これにより、例えば各物理チャンネルの全てのセグメントをサーチして選局候補セグメントの設定を行うものに比べて、選局候補セグメントの設定に関わる処理負担を軽減させることができる。その結果、束セグ放送が運用された場合において、受信するセグメントの候補設定を、極力速く行うことが可能となる。
【００１６】
また上記構成において、前記選局候補設定部は、前記残りのセグメントについては、前記選局候補セグメントとして設定しない構成としてもよい。
【００１７】
本構成によれば、束セグ放送サービスに用いられていないと考えられるセグメントを、選局候補セグメントに設定しないようにし、選局の処理をスムーズにすることが可能となる。
【００１８】
本発明に係る放送システムは、上記構成に係る受信装置と、複数の物理チャンネルにわたり、複数のセグメントの各々に別個の番組情報を割り当てて放送する放送装置と、を有し、該放送装置は、各物理チャンネルについて、中央に近いセグメントから順に該番組情報を優先的に割り当てる構成とする。本構成によれば、受信装置に、受信するセグメントの候補設定を極力速く行わせることが可能となる。
【発明の効果】
【００１９】
上述した通り、本発明に係る受信装置によれば、中央に近いセグメントから順に判別処理を行い、前記番組情報の受信が不可と判別された時点で、その物理チャンネルにおける残りのセグメントを該判別処理の対象外とする。そのため、放送装置が、中央に近いセグメントから順に番組情報を優先的に割り当てるものである場合に、当然に番組情報の受信が不可であるセグメントについてまでも判別処理を行うという無駄を省くことが可能となる。
【００２０】
これにより、例えば全てのセグメントをサーチして選局候補セグメントの設定を行うものに比べて、選局候補セグメントの設定に関わる処理負担を軽減させることができる。その結果、束セグ放送が運用された場合において、受信するセグメントの候補設定を、極力速く行うことが可能となる。
【００２１】
また本発明に係る放送システムによれば、受信装置に、受信するセグメントの候補設定を極力速く行わせることが可能となる。
【発明を実施するための最良の形態】
【００２２】
本発明の実施形態について、図１に示す構成の放送システムを例に挙げて、以下に説明する。本図に示すように、放送システム９は、束セグ放送サービスを提供する放送装置１、および放送装置１から放送を受信する受信装置２を有している。
【００２３】
放送装置１は、各物理チャンネルにおける複数セグメントの各々に、別個の番組情報を割り当てた放送（束セグ放送）を実行する。なおここでの物理チャンネルとは、ＵＨＦの１３〜６２ｃｈの何れかであり、各物理チャンネルは、周知の通り、１３個（セグメント番号が０番〜１２番）のセグメントを有している。またセグメント番号（単に「番号」と称することがある）は、中央を「０」として、中央に近い側から順に、「１」、「２」、・・・「１２」と割り振られている。換言すれば、周波数の低いセグメントから順に、「１１」、「９」、「７」、・・・「８」、「１０」、「１２」と割当てられている。ここで放送装置１による放送の具体的内容（ここでは一例として、１３ｃｈ〜１５ｃｈ）について、図２を参照しながら説明する。
【００２４】
図２に示すように放送装置１は、１３ｃｈについては、０〜６番の各セグメントを用いてＡ〜Ｇの各番組を放送する一方、７〜１２番の各セグメントは、放送には用いない。つまり、０〜６番の各セグメントが束セグ放送サービスの対象となっており、他のセグメントは、束セグ放送サービスの対象外となっている。
【００２５】
また１４ｃｈについては、０〜１２番の全てのセグメントを用いてＨ〜Ｔの各番組が放送される。つまり全てのセグメントが、束セグ放送サービスの対象となっている。また１５ｃｈについては、何れのセグメントも放送には用いられない。つまり１５ｃｈそのものが、束セグ放送サービスの対象外となっている。
【００２６】
また、束セグ放送サービスの対象となっている各物理チャンネルについては、中央に近いセグメントから順に（つまりセグメント番号が小さいセグメントの順に）、束セグ放送サービスの番組情報が優先的に割り当てられるように設定されている。例えばある物理チャンネルに５個の番組情報が割当てられるとすると、これらの番組情報は０番から４番までの各セグメントにそれぞれ割当てられることになり、５番以降の各セグメントには、割当てられないことになる。
【００２７】
換言すれば、例えば４番のセグメントに番組情報が割当てられないにも関わらず、０番〜３番および５番のセグメントに番組情報が割当てられるような、いわゆる「歯抜け」の状態は認められないことになる。そのため受信装置２は、セグメント番号の小さい方から順に各セグメントについて番組情報の受信の可否を判別し、受信不可となった時点で、残りのセグメントについては受信を試みるまでもなく、番組情報の受信は不可であると判断することができる。
【００２８】
また受信装置２は、受信部２１、放送信号処理部２２、ディスプレイ２３、スピーカ２４、演算制御部２５、記憶部２６、および操作部２７などを備えている。受信部２１は、アンテナやチューナ装置を備えている。これにより、放送装置１によって放送された放送信号のうち、予め指定された物理チャンネルにおける、指定されたセグメントの信号を選局して受信し、後段側に伝送する。なお受信する物理チャンネルおよびセグメントの指定は、制御部２７によってなされる。
【００２９】
放送信号処理部２２は、受信部２１から伝送されてきた放送信号から、映像および音声の情報を抽出し、映像信号および音声信号を生成する。そして映像信号をディスプレイ２３に、音声信号をスピーカ２４に伝送する。またディスプレイ２３は、伝送されてきた映像信号に基づいて映像を表示し、スピーカ２４は、伝送されてきた音声信号に基づいて音声を出力する。
【００３０】
演算制御部２５は、受信装置２でなされる各種の処理を制御する。なお当該処理のうち、チャンネルスキャンおよびシーク選局に関する処理の内容については、改めて詳細に説明する。
【００３１】
記憶部２６は、書き換え可能な不揮発性のメモリによって形成されており、束セグ情報テーブルおよびサーチ済みフラグテーブルなど、受信装置２でなされる処理に必要な各種情報を記憶する。ここで束セグ情報テーブルおよびサーチ済みフラグテーブルの内容について、図３および図４を参照しながら説明する。
【００３２】
束セグ情報テーブルは、図３に示すように、各物理チャンネルに対応して、「束セグ情報フラグ」の情報が割当てられる。なお「束セグ情報フラグ」は、各セグメントに対応して「０」または「１」によって表され、「０」は、そのセグメントにより束セグ放送が受信できないことを示す一方、「１」は、そのセグメントにより束セグ放送が受信できることを示す。
【００３３】
またサーチ済みフラグテーブルは、図４に示すように、各物理チャンネルにおける各セグメント（０〜１２番）に対応して、「０」または「１」の値が割り当てられる。そして「０」は、後述するシーク選局において未だサーチがなされていないセグメントを示す一方、「１」は、既にサーチがなされたセグメント（サーチを行わないセグメントを含む）を示す。なお束セグ情報テーブルやサーチ済みフラグの、作成方法や使用方法などについては、改めて説明する。
【００３４】
図１に戻り、操作部２７は、押しボタンスイッチ等を有したユーザインターフェースとして形成されており、ユーザによって操作される。操作内容は、チャンネルスキャンの実行、シーク選局の実行、電源のＯＮ／ＯＦＦ、および音量調整などの指示として、演算制御部２７に伝送される。
【００３５】
上述した構成により、受信装置２は、放送装置１によって実行される束セグ放送を受信し、放送番組の映像表示および音声出力を実行する。これにより、受信装置２のユーザは、束セグ放送によって放送される番組を視聴することが可能となっている。
【００３６】
また受信装置２は、束セグ放送の受信に加えて、適宜、チャンネルスキャンやシーク選局を実行する。なお、チャンネルスキャンは、例えば受信地域の変更によって放送受信の可能なセグメントが変更したような場合に、ユーザの指示に応じて実行されるものである。またシーク選局は、ユーザの指示（希望するセグメントの指定を含む）に応じ、放送受信の可能なセグメントを自動的にサーチした上で、選局を行うものである。次に、チャンネルスキャンおよびシーク選局に関する処理の詳細について、図５〜図８の各フローチャートを参照しながら、以下に説明する。
【００３７】
図５に示すように、受信装置２は、ユーザによってチャンネルスキャンの実行指示がなされたか（ステップＳ１）、および、ユーザによってシーク選局の実行指示がなされたか（ステップＳ２）を監視する。そして、チャンネルスキャンの実行指示がなされた場合には（ステップＳ１のＹ）、受信装置２はチャンネルスキャンを実行し、束セグ情報テーブルを更新する（ステップＳ３）。そして束セグ情報テーブルを更新した後、ステップＳ１の処理に戻る。ここで当該ステップＳ３の処理の具体的な内容を、図６を参照しながら説明する。
【００３８】
まず受信装置２は、全ての束セグ情報フラグを「０」とすることにより、束セグ情報テーブル（図３を参照）の内容を初期化する（ステップＳ３１）。その次に、全物理チャンネルにおける最初の物理チャンネルである１３ｃｈを選出する（ステップＳ３２）とともに、この選出された物理チャンネルのうちの最初の番号（０番）のセグメントを選出する（ステップＳ３３）。そして今回選出されたセグメントの信号の受信を実行し、これによって、番組情報の受信が可能であるか否かを判別する（ステップＳ３４）。
【００３９】
その結果、受信が可能であると判別されれば（ステップＳ３４のＹ）、この選出されているセグメントの束セグ情報フラグを「１」に更新する（ステップＳ３５）。そして次の番号のセグメントが有れば（ステップＳ３６のＹ）、当該次の番号のセグメントを新たに選出して（ステップＳ３７）、ステップＳ３４の処理を繰り返す。
【００４０】
なおステップＳ３４の処理において番組情報の受信が不可であった場合には（ステップＳ３４のＮ）、ステップＳ３５とＳ３６の処理が省略される。これにより、現在選出されている物理チャンネルについては、残りの（未だ選出されていない）セグメントの束セグ情報フラグは「０」のままとなる。つまり、現在選出されているセグメントおよび残りのセグメントによっては、番組情報の受信が不可であるとみなされる。
【００４１】
そして次の番号のセグメントが無い場合（ステップＳ３６のＮ）、もしくは、ステップＳ３４の処理において、受信が不可であると判別された場合（ステップＳ３４のＮ）には、受信装置２は、未だ選出されていない物理チャンネルがあるか否かを判断する（ステップＳ３８）。
【００４２】
その結果、未選出の物理チャンネルがある場合には（ステップＳ３８のＹ）、次の物理チャンネルを新たに選出した上で（ステップＳ３９）、ステップＳ３３の処理を繰り返す。一方、全ての物理チャンネルが選出済みであれば（ステップＳ３８のＮ）、ステップＳ３の処理は終了する。ここまでの処理により、束セグ情報テーブルの更新は完了することとなる。
【００４３】
また図５に戻り、シーク選局の実行指示が有った場合には（ステップＳ２のＹ）、受信装置２はまず、予め設定されている束セグ情報テーブルを用いて、サーチ済みフラグテーブルを更新する（ステップＳ４）。ここで当該ステップＳ４の処理の具体的な内容を、図７を参照しながら説明する。
【００４４】
まず受信装置２は、サーチ済みフラグテーブルの全てのサーチ済みフラグを「０」とすることにより、サーチ済みフラグテーブルを初期化しておく（ステップＳ４１）。その後、受信装置２は、全物理チャンネルのうちの最初の物理チャンネルを選出する（ステップＳ４２）。例えば１３ｃｈから６２ｃｈまで順に選出する場合、まず１３ｃｈが選出されることになる。
【００４５】
そして選出された物理チャンネルについて、全ての束セグ情報フラグが「０」という状況でない限り（ステップＳ４３のＮ）、束セグ情報フラグに従って、サーチ済みフラグを設定する（ステップＳ４４）。具体的には、束セグ情報フラグが「０」のセグメントについては、サーチ済みフラグを「１」（サーチ済み）とし、束セグ情報フラグが「１」のセグメントについては、サーチ済みフラグを「０」（未サーチ）とする。
【００４６】
ただし、全ての束セグ情報フラグが「０」である場合には（ステップＳ４３のＹ）、０番のセグメントのサーチ済みフラグを「０」とする一方、他の（１番〜１２番の）セグメントのサーチ済みフラグを「１」とする。つまり、０番以外のセグメントのサーチ済みフラグを「１」（サーチ済み）とする（ステップＳ４５）。
【００４７】
そしてステップＳ４４またはＳ４５の処理がなされた後、未だ選出されていない物理チャンネルがあれば（ステップＳ４６のＹ）、次の物理チャンネルを新たに選出した上で（ステップＳ４７）、ステップＳ４３の処理を繰り返す。一方、全ての物理チャンネルが選出済みであれば（ステップＳ４６のＮ）、ステップＳ４の処理は終了する。ここまでの処理により、サーチ済みフラグテーブルの更新は完了することとなる。
【００４８】
また図５に戻り、ステップＳ４の処理が終了したら、受信装置２は次に、サーチ済みフラグテーブルを用いて、シーク選局を実行する（ステップＳ５）。そしてシーク選局を実行した後は、ステップＳ１の処理に戻る。ここで当該ステップＳ５の処理の具体的な内容を、図８を参照しながら説明する。
【００４９】
まず受信装置２は、全物理チャンネルにおけるサーチ済みフラグが「０」のセグメントのうち、ユーザによって指定されたセグメントに最も近いものを選出する（ステップＳ５１）。つまり、指定されたセグメントのサーチ済みフラグが「０」であれば、当該セグメントを選出する一方、そうでなければ、サーチ済みフラグが「０」であるセグメントを、指定されたセグメントに近い側から順に、他の物理チャンネルも含めて探索して選出する。
【００５０】
そして選出されたセグメントをサーチし、このセグメントにおける束セグ放送の受信の可否を判定する（ステップＳ５２）。また当該サーチが済んだことに伴い、今回選出されたセグメントのサーチ済みフラグを、「１」に更新する（ステップＳ５３）。
【００５１】
ステップＳ５２の処理により、束セグ放送の受信が可能であると判定されたら（ステップＳ５４のＹ）、受信装置２は、今回選出されたセグメントが用いられた束セグ放送を受信して、放送番組の映像および音声を出力する。また同時に、ユーザによるサーチ継続の指示を受付ける（ステップＳ５５）。
【００５２】
このとき、サーチ継続の指示がなされなかった場合には（ステップＳ５５のＮ）、現在選出されているセグメントを、選局するセグメントに決定する。これにより、シーク選局の目的は達成されたため、ステップＳ５の処理は終了される。しかし、束セグ放送の受信が不可であった場合（ステップＳ５４のＮ）、もしくはサーチ継続の指示が有った場合（ステップＳ５５のＹ）には、受信装置２は、全物理チャンネルにおける全てのセグメントのサーチ済みフラグが「１」であるかを判定する（ステップＳ５６）。
【００５３】
その結果、全てのサーチ済みフラグが「１」であった場合には（ステップＳ５６のＹ）、新たにサーチすべきセグメントは存在しないため、この場合も、ステップＳ５の処理は終了される。なおこのとき、「新たにサーチすべきセグメントは存在しない」ことを表すメッセージ等が、適宜表示されるようにしても良い。
【００５４】
一方、サーチ済みフラグが「０」であるセグメントが残っていれば（ステップＳ５６のＮ）、受信装置２は、サーチ済みフラグが「０」であるセグメントの中から次のセグメントを新たに選出して（ステップＳ５７）、ステップＳ５２の処理を繰り返す。
【００５５】
なおステップＳ５１やＳ５７の処理は、例えば周波数の昇順に、次のセグメントが選出される（つまり、シーク選局が周波数の昇順に実行される）ようにすれば良い。この場合、サーチ済みフラグテーブルの状態が図４の通りであるとすると、仮に現在選出されているセグメントが１３ｃｈの６番のセグメントであれば、次のセグメント（サーチ対象）は、１４ｃｈの１１番のセグメントとなる。ただし、ステップＳ５７の処理は、周波数の昇順や降順に次のセグメントが選出されるものに限られず、他の手法が採用されても構わない。例えば同一の物理チャンネル内では、セグメント番号の昇順に、次のセグメントが選出されるようにしても良い。
【００５６】
なお、上述した処理に関して、ステップＳ５５の処理は省略されるようにしても構わない。この場合、束セグ放送の受信が可能であると判定された（ステップＳ５４のＹ）場合には、ユーザによるサーチ継続の指示を受付けることなく、現在選出されているセグメントが、選局するセグメントに決定されるようにすれば良い。
【００５７】
ここでステップＳ５１およびＳ５７の処理によれば、サーチ済みフラグが「０」のセグメントのみが、シーク選局におけるサーチ（ステップＳ５２）の対象となる。換言すれば、ステップＳ４の処理によりサーチ済みフラグテーブルが設定された段階で、予めサーチ済みフラグが「１」に設定されているセグメントは、シーク選局におけるサーチの対象外となる。
【００５８】
これにより、受信装置２は、シーク選局においてサーチが不必要と考えられるセグメントについては、当該サーチが省略されるようになっている。より具体的には、束セグ情報フラグが「０」であるセグメントについては、予め束セグ放送サービスの番組情報の受信は不可であった（よって、シーク選局におけるサーチは不必要と考えられる）と判別、或いはみなされている。そのため、これらのセグメントについては、ステップＳ４４の処理によってサーチ済みフラグを「１」としておくことで、シーク選局におけるサーチが省略されるようになっている。
【００５９】
ただし全てのセグメントの束セグ情報フラグが「０」である物理チャンネルについては、従来運用されているワンセグ放送に対応可能とする等のために、念のためステップＳ４５の処理によって、０番のセグメントのサーチ済みフラグについては「０」としている。換言すれば、中央のセグメントを除き、何れのセグメントについても、サーチ済みフラグを「１」としている。この点、０番のセグメントについてもサーチ済みフラグを「１」として、シーク選局におけるサーチの対象外とするようにしても構わない。
【００６０】
なお束セグ情報フラグが「１」であるセグメントについては、束セグ放送サービスの番組情報の受信は可能である（よって、シーク選局におけるサーチは必要と考えられる）ため、ステップＳ４４の処理によってサーチ済みフラグを「０」としておくことで、当該サーチが実行されるようになっている。
【００６１】
また、ステップＳ４の処理によってサーチ済みフラグが「０」に設定されたセグメントは、換言すれば、選局（受信するセグメントの切替）の対象となり得るセグメント（選局候補セグメント）ということができる。また、ステップＳ３〜Ｓ４の処理は、各セグメントについて番組情報の受信の可否を判別する処理を行い、この判別の結果に基づいて、少なくとも一つのセグメントを、選局候補セグメントに設定する処理といえる。そしてステップＳ５の処理は、受信するセグメントを、予め設定された選局候補セグメントの中の何れかに切替える処理といえる。
【００６２】
以上に説明した一連の処理（ステップＳ１〜Ｓ５）を実行することにより、受信装置２は、チャンネルスキャンやシーク選局を、適切に実行することが可能となっている。特にチャンネルスキャンについては、従来のチャンネルスキャンの手法を採用している受信装置に比べて、迅速に実行することが可能となっており、処理時間が大幅に短縮されるものとなっている。
【００６３】
すなわち、従来のチャンネルスキャンの手法を採用している受信装置では、束セグ放送サービスに対応させようとすると、チャンネルスキャンにおいて、各物理チャンネルの全てのセグメントについて、番組情報の受信可否の判別を行う必要がある。そのため、チャンネルスキャンに多くの時間が必要となってしまう。
【００６４】
しかしながら本実施形態の受信装置２では、各物理チャンネルにおいて、中央に近いセグメントから順に、番組情報の受信の可否を判別する（ステップＳ３４）。そして不可と判別された時点で（ステップＳ３４のＮ）、同一の物理チャンネルの残りのセグメントについては、当然に番組情報の受信は不可であると言えるため、チャンネルスキャンにおいて、番組情報の受信可否の判別を省略するようになっている。その結果、チャンネルスキャンに要する時間は、大幅に短縮されることになる。
【００６５】
以上に説明した通り、本実施形態の受信装置２は、複数の物理チャンネルにわたり、複数のセグメントの各々に別個の番組情報を割り当てて放送する放送装置１から、該番組情報を受信する。そして、指示に応じて、受信するセグメントを、予め設定された選局候補セグメントの中の何れかに切替える機能、および、各セグメントについて番組情報の受信の可否を判別する判別処理を行い、該判別処理の結果に基づいて、少なくとも一つのセグメントを該選局候補セグメントに設定する機能を備えている。
【００６６】
更に受信装置２は、複数の物理チャンネルのそれぞれについて、中央に近いセグメントから順に判別処理を行い、番組情報の受信が不可と判別された時点で、その物理チャンネルにおける残りのセグメント（未だ判別処理がなされていないセグメント）を判別処理の対象外とする。
【００６７】
そのため、例えば無条件に全てのセグメントをサーチして選局候補セグメントの設定を行うものに比べて、当該設定に関わる処理負担を軽減させることが可能となっている。その結果、束セグ放送が運用された場合において、受信するセグメントの候補設定を、極力速く行うことが可能となっている。
【００６８】
なお受信装置２は、例えば、携帯用のテレビ放送受信機や、カーナビゲーションシステムなど、束セグ放送サービスへの対応が望まれる種々の電子機器に適用することが可能である。
【００６９】
以上、本発明の実施形態について説明したが、本発明はこの内容に限定されるものではない。また本発明は、その主旨を逸脱しない範囲において、種々の改変を加えて実施され得る。
【産業上の利用可能性】
【００７０】
本発明は、いわゆる束セグ放送を受信する受信装置等の分野において利用可能である。
【図面の簡単な説明】
【００７１】
【図１】本発明の実施形態に係る放送システムの構成図である。
【図２】放送装置による放送の内容を示す説明図である。
【図３】束セグ情報テーブルの内容を示す説明図である。
【図４】サーチ済みフラグテーブルの内容を示す説明図である。
【図５】チャンネルスキャンおよびシーク選局に関する処理の流れ図である。
【図６】ステップＳ３の処理をより具体的に示した流れ図である。
【図７】ステップＳ４の処理をより具体的に示した流れ図である。
【図８】ステップＳ５の処理をより具体的に示した流れ図である。
【符号の説明】
【００７２】
１    放送装置
２    受信装置
９    放送システム
２１    受信部
２２    放送信号処理部
２３    ディスプレイ
２４    スピーカ
２５    演算制御部
２６    記憶部
２７    操作部
【図１】
2010056855.tif 000003
【図２】
2010056855.tif 000004
【図３】
2010056855.tif 000005
【図４】
2010056855.tif 000006
【図５】
2010056855.tif 000007
【図６】
2010056855.tif 000008
【図７】
2010056855.tif 000009
【図８】
2010056855.tif 000010